(57)【特許請求の範囲】
【請求項１】
第１の基地局（ＢＳ）のためのワイヤレス通信の方法であって、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
１つまたは複数のシンボル中で前記第１の基準信号を含むサブフレームの第１のセットを送信することと、
１つまたは複数のシンボル中で前記第２の基準信号を含むサブフレームの第２のセットを送信することと、ここにおいて、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を備え、前記同じタイプの基準信号は、セル固有基準信号（ＣＲＳ）または測位基準信号（ＰＲＳ）に基づき、前記第１の基地局によって構成された帯域幅を有する、方法。
【請求項２】
前記第１のシンボルはサブフレーム中の最初のシンボルであり、前記第２のシンボルはサブフレーム中の最後のシンボルである、請求項１に記載の方法。
【請求項３】
サブフレームの前記第２のセット中の少なくとも１つのサブフレームはスペシャルサブフレームまたはアップリンク（ＵＬ）サブフレームのうちの１つであり、前記少なくとも１つのサブフレームの少なくとも一部分はユーザ機器（ＵＥ）によるＵＬ信号の送信のために割り振られる、請求項１に記載の方法。
【請求項４】
サブフレームの前記第２のセット中の前記少なくとも１つのサブフレーム中で信号を送信することを抑制するようにとの命令をユーザ機器（ＵＥ）に送信することをさらに備える、請求項３に記載の方法。
【請求項５】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項１に記載の方法。
【請求項６】
前記第１の基準信号または前記第２の基準信号のうちの少なくとも１つのための帯域幅を構成することをさらに備え、前記第１の基準信号または前記第２の基準信号のうちの少なくとも１つは、前記構成された帯域幅を使用して送信される、請求項１に記載の方法。
【請求項７】
前記第１のＢＳのダウンリンクシステム帯域幅を決定することをさらに備え、前記構成された帯域幅は前記ダウンリンクシステム帯域幅よりも小さい、請求項６に記載の方法。
【請求項８】
前記第１の基準信号または前記第２の基準信号のうちの少なくとも１つに関連する１つまたは複数のパラメータを別のノードに送信することをさらに備え、
前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項６に記載の方法。
【請求項９】
前記第１の基準信号または前記第２の基準信号のうちの少なくとも１つのためのサイクリックプレフィックスを決定することをさらに備え、前記決定されたサイクリックプレフィックスは共通基準信号のサイクリックプレフィックスとは異なる、請求項１に記載の方法。
【請求項１０】
サブフレームの前記第１のセットまたはサブフレームの前記第２のセットのうちの少なくとも１つは周期構成に基づく、請求項１に記載の方法。
【請求項１１】
少なくとも前記第１の基準信号または前記第２の基準信号は、２つまたはそれ以上の連続するサブフレーム中で送信される、請求項１０に記載の方法。
【請求項１２】
ワイヤレス通信のための第１の基地局（ＢＳ）であって、
メモリと、
前記メモリに結合された少なくとも１つのプロセッサと
を備え、
前記少なくとも１つのプロセッサは、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
１つまたは複数のシンボル中で前記第１の基準信号を含むサブフレームの第１のセットを送信することと、
１つまたは複数のシンボル中で前記第２の基準信号を含むサブフレームの第２のセットを送信することと、ここにおいて、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を行うように構成され、前記第１の基準信号または前記第２の基準信号のうちの少なくとも１つは、セル固有基準信号（ＣＲＳ）または測位基準信号（ＰＲＳ）に基づき、前記第１の基地局によって構成された帯域幅を有する、第１のＢＳ。
【請求項１３】
前記第１のシンボルがサブフレーム中の最初のシンボルであり、前記第２のシンボルがサブフレーム中の最後のシンボルである、請求項１２に記載の第１のＢＳ。
【請求項１４】
サブフレームの前記第２のセット中の少なくとも１つのサブフレームは、スペシャルサブフレームまたはアップリンク（ＵＬ）サブフレームのうちの１つであり、前記少なくとも１つのサブフレームの少なくとも一部分は、ユーザ機器（ＵＥ）によるＵＬ信号の送信のために割り振られる、請求項１２に記載の第１のＢＳ。
【請求項１５】
前記少なくとも１つのプロセッサは、サブフレームの前記第２のセット中の前記少なくとも１つのサブフレーム中で信号を送信することを抑制するようにとの命令をユーザ機器（ＵＥ）に送信するようにさらに構成された、請求項１４に記載の第１のＢＳ。
【請求項１６】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項１２に記載の第１のＢＳ。
【請求項１７】
前記同じタイプの基準信号は測位基準信号（ＰＲＳ）である、請求項１２に記載の第１のＢＳ。
【請求項１８】
前記少なくとも１つのプロセッサは、前記第１の基準信号または前記第２の基準信号のうちの少なくとも１つのための帯域幅を構成するようにさらに構成され、前記第１の基準信号または前記第２の基準信号のうちの少なくとも１つは、前記構成された帯域幅を使用して送信される、請求項１２に記載の第１のＢＳ。
【請求項１９】
前記少なくとも１つのプロセッサは、前記第１のＢＳのダウンリンクシステム帯域幅を決定するようにさらに構成され、前記構成された帯域幅は、前記ダウンリンクシステム帯域幅よりも小さい、請求項１８に記載の第１のＢＳ。
【請求項２０】
前記少なくとも１つのプロセッサは、前記第１の基準信号または前記第２の基準信号のうちの少なくとも１つに関連する１つまたは複数のパラメータを別のノードに送信するようにさらに構成され、前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項１８に記載の第１のＢＳ。
【請求項２１】
前記少なくとも１つのプロセッサは、前記第１の基準信号または前記第２の基準信号のうちの少なくとも１つのためのサイクリックプレフィックスを決定するようにさらに構成され、前記決定されたサイクリックプレフィックスは共通基準信号のサイクリックプレフィックスとは異なる、請求項１２に記載の第１のＢＳ。
【請求項２２】
サブフレームの前記第１のセットまたはサブフレームの前記第２のセットのうちの少なくとも１つは周期構成に基づく、請求項１２に記載の第１のＢＳ。
【請求項２３】
少なくとも前記第１の基準信号または前記第２の基準信号は、２つまたはそれ以上の連続するサブフレーム中で送信される、請求項２２に記載の第１のＢＳ。
【請求項２４】
第１の基地局（ＢＳ）のためのワイヤレス通信のための装置であって、
発見または測定のうちの少なくとも１つのための第１の基準信号と、同期のための第２の基準信号とを決定するための手段と、ここにおいて、前記第１の基準信号と前記第２の基準信号の両方が同じタイプの基準信号に基づく、
１つまたは複数のシンボル中で前記第１の基準信号を含むサブフレームの第１のセットを送信し、１つまたは複数のシンボル中で前記第２の基準信号を含むサブフレームの第２のセットを送信するための手段と、ここで、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を備え、前記同じタイプの基準信号は、セル固有基準信号（ＣＲＳ）または測位基準信号（ＰＲＳ）に基づき、前記第１の基地局によって構成された帯域幅を有する、装置。
【請求項２５】
前記第１のシンボルがサブフレーム中の最初のシンボルであり、前記第２のシンボルがサブフレーム中の最後のシンボルである、請求項２４に記載の装置。
【請求項２６】
サブフレームの前記第２のセット中の少なくとも１つのサブフレームは、スペシャルサブフレームまたはアップリンク（ＵＬ）サブフレームのうちの１つであり、前記少なくとも１つのサブフレームの少なくとも一部分は、ユーザ機器（ＵＥ）によるＵＬ信号の送信のために割り振られる、請求項２４に記載の装置。
【請求項２７】
サブフレームの前記第２のセット中の前記少なくとも１つのサブフレーム中で信号を送信することを抑制するようにとの命令をユーザ機器（ＵＥ）に送信するための手段をさらに備える、請求項２６に記載の装置。
【請求項２８】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項２４に記載の装置。
【請求項２９】
前記第１の基準信号または前記第２の基準信号のうちの少なくとも１つのための帯域幅を構成するための手段をさらに備え、前記第１の基準信号または前記第２の基準信号のうちの少なくとも１つは、前記構成された帯域幅を使用して送信される、請求項２４に記載の装置。
【請求項３０】
前記構成するための手段は、前記第１のＢＳのダウンリンクシステム帯域幅を決定し、前記構成された帯域幅は、前記ダウンリンクシステム帯域幅よりも小さい、請求項２９に記載の装置。
【請求項３１】
前記送信するための手段は、前記第１の基準信号または前記第２の基準信号のうちの少なくとも１つに関連する１つまたは複数のパラメータを別のノードに送信し、前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項２９に記載の装置。
【請求項３２】
前記決定するための手段は、前記第１の基準信号または前記第２の基準信号のうちの少なくとも１つのためのサイクリックプレフィックスを決定し、前記決定されたサイクリックプレフィックスは共通基準信号のサイクリックプレフィックスとは異なる、請求項２４に記載の装置。
【請求項３３】
サブフレームの前記第１のセットまたはサブフレームの前記第２のセットのうちの少なくとも１つは周期構成に基づく、請求項２４に記載の装置。
【請求項３４】
少なくとも前記第１の基準信号または前記第２の基準信号は、２つまたはそれ以上の連続するサブフレーム中で送信される、請求項３３に記載の装置。
【請求項３５】
第１の基地局（ＢＳ）のためのワイヤレス通信のためのコンピュータ実行可能コードを記憶する非一時的コンピュータ可読媒体であって、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
１つまたは複数のシンボル中で前記第１の基準信号を含むサブフレームの第１のセットを送信することと、
１つまたは複数のシンボル中で前記第２の基準信号を含むサブフレームの第２のセットを送信することと、ここで、サブフレームの前記第１のセットとサブフレームの前記第２のセットとが少なくとも１つのサブフレームだけ異なり、前記第１の基地局は、サブフレームの前記第２のセット中のサブフレームの少なくともサブセット中の第１のシンボルまたは第２のシンボルのうちの少なくとも１つ中に送信することを抑制し、前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、
を行うためのコードを備え、前記同じタイプの基準信号は、セル固有基準信号（ＣＲＳ）または測位基準信号（ＰＲＳ）に基づき、前記第１の基地局によって構成された帯域幅を有する、コンピュータ可読媒体。
【請求項３６】
前記第１のシンボルがサブフレーム中の最初のシンボルであり、前記第２のシンボルがサブフレーム中の最後のシンボルである、請求項３５に記載のコンピュータ可読媒体。
【請求項３７】
サブフレームの前記第２のセット中の少なくとも１つのサブフレームは、スペシャルサブフレームまたはアップリンク（ＵＬ）サブフレームのうちの１つであり、前記少なくとも１つのサブフレームの少なくとも一部分は、ユーザ機器（ＵＥ）によるＵＬ信号の送信のために割り振られる、請求項３５に記載のコンピュータ可読媒体。
【請求項３８】
サブフレームの前記第２のセット中の前記少なくとも１つのサブフレーム中で信号を送信することを抑制するようにとの命令をユーザ機器（ＵＥ）に送信するためのコードをさらに備える、請求項３７に記載のコンピュータ可読媒体。
【請求項３９】
前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、請求項３５に記載のコンピュータ可読媒体。
【請求項４０】
前記第１の基準信号または前記第２の基準信号のうちの少なくとも１つのための帯域幅を構成するためのコードをさらに備え、前記第１の基準信号または前記第２の基準信号のうちの少なくとも１つは、前記構成された帯域幅を使用して送信される、請求項３５に記載のコンピュータ可読媒体。
【請求項４１】
前記第１のＢＳのダウンリンクシステム帯域幅を決定するためのコードをさらに備え、前記構成された帯域幅は、前記ダウンリンクシステム帯域幅よりも小さい、請求項４０に記載のコンピュータ可読媒体。
【請求項４２】
前記第１の基準信号または前記第２の基準信号のうちの少なくとも１つに関連する１つまたは複数のパラメータを別のノードに送信するためのコードをさらに備え、前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、請求項４０に記載のコンピュータ可読媒体。
【請求項４３】
前記第１の基準信号または前記第２の基準信号のうちの少なくとも１つのためのサイクリックプレフィックスを決定するためのコードをさらに備え、前記決定されたサイクリックプレフィックスは共通基準信号のサイクリックプレフィックスとは異なる、請求項３５に記載のコンピュータ可読媒体。
【請求項４４】
サブフレームの前記第１のセットまたはサブフレームの前記第２のセットのうちの少なくとも１つは周期構成に基づく、請求項３５に記載のコンピュータ可読媒体。
【請求項４５】
少なくとも前記第１の基準信号または前記第２の基準信号は、２つまたはそれ以上の連続するサブフレーム中で送信される、請求項４４に記載のコンピュータ可読媒体。
【発明の詳細な説明】
【技術分野】
【０００１】
関連出願の相互参照
[0001]本出願は、それらの全体が参照により本明細書に明確に組み込まれる、２０１４年１月２８日に出願された「DISCOVERY SIGNALS AND NETWORK SYNCHRONIZATION SIGNALS DESIGN IN LTE」と題する米国仮出願第６１／９３２，６８５号、および２０１４年１２月２９日に出願された「DISCOVERY SIGNALS AND NETWORK SYNCHRONIZATION SIGNALS DESIGN IN LTE」と題する米国特許出願第１４／５８５，１５５号の利益を主張する。
【０００２】
[0002]本開示は、一般に通信システムに関し、より詳細には、ＬＴＥ（登録商標）における発見信号およびネットワーク同期信号設計に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。電気通信規格の一例はロングタームエボリューション（ＬＴＥ）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]スモールセル緻密化（たとえば、低電力基地局）は、スペクトルのより最適な使用による潜在的利益を有するが、またモバイル通信における難しい設計問題を提示する。これらの設計問題は、モビリティ処理、干渉処理などを含み得る。マクロセルは、スモールセルと同じ地理的領域中に展開されることも展開されないこともある。スモールセルは、マクロセルと同じキャリア周波数（同一チャネル）であるか、または異なるキャリア周波数であり得る。
【０００６】
[0006]スモールセルをより良く管理するために、スモールセルはアクティブ状態とドーマント状態とをサポートする。たとえば、スモールセルは、スモールセルが最小数のＵＥをサービスするとき、アクティブ状態（たとえば、オン状態）にあり得、ＵＥをサービスしていないとき、ドーマント状態（たとえば、オフ状態）に入り得、またはＵＥの何らかの最小しきい値よりも少ないＵＥをサービスするとき、ＵＥをハンドオフし、ドーマント状態に入り得る。ドーマント状態にあるスモールセルは、ＵＥがスモールセルの近傍内に来たとき、再アクティブ化され、アクティブ状態に入り得る。スモールセルのアクティブ／ドーマント状態遷移を可能にするために、スモールセルは発見信号を送信し得る。一例では、スモールセルは、ドーマント状態にある間に発見信号を送信するように構成され得る。別の例では、スモールセルは、ドーマント状態またはアクティブ状態のいずれかにある間に発見信号を送信するように構成され得る。
【０００７】
[0007]スモールセルを設計することに関する問題の１つは、アクティブ状態とドーマント状態とをサポートしながら、十分に規則的な周期性をもつ発見信号とネットワーク同期信号の両方の送信のための設計を提供することである。本開示の一態様では、方法、コンピュータプログラム製品、および装置が提供される。本装置は発展型ノードＢ（ｅＮＢ）であり得る。本装置は、発見または測定のうちの少なくとも１つのための第１の基準信号と、同期のための第２の基準信号とを決定し、ここで、第１の基準信号と第２の基準信号の両方は同じタイプの基準信号に基づく。たとえば、同じタイプの基準信号は測位基準信号（ＰＲＳ：positioning reference signal）であり得る。本装置は、サブフレームの第１のセットの１つまたは複数のシンボル中で第１の基準信号を送信し、サブフレームの第２のセットの１つまたは複数のシンボル中で第２の基準信号を送信し、ここで、サブフレームの第１のセットとサブフレームの第２のセットとは少なくとも１つのサブフレームだけ異なる。
【０００８】
[0008]本開示の一態様では、方法、コンピュータプログラム製品、および装置が提供される。本装置はユーザ機器（ＵＥ）であり得る。本装置は、発見または測定のうちの少なくとも１つのための第１の基準信号あるいは同期のための第２の基準信号のうちの少なくとも１つを受信することと、第１の基準信号または第２の基準信号のうちの少なくとも１つが、基地局（ＢＳ）によって構成された帯域幅を有する、第１の基準信号または第２の基準信号のうちの少なくとも１つに基づいて少なくとも１つのセルを検出することとを行う。
【図面の簡単な説明】
【０００９】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】例示的なスモールセル展開構成を示す図。
【図８】例示的なスモールセル展開構成を示す図。
【図９】例示的なスモールセル展開構成を示す図。
【図１０】例示的なスモールセル展開構成を示す図。
【図１１】スモールセルによる基準信号の送信を示す図。
【図１２】ＴＤＤタイプフレームのサブフレームを示す図。
【図１３】ＴＤＤタイプフレームのサブフレームを示す図。
【図１４】ＴＤＤタイプフレームのサブフレームを示す図。
【図１５】ワイヤレス通信の方法のフローチャート。
【図１６】ワイヤレス通信の方法のフローチャート。
【図１７】ワイヤレス通信の方法のフローチャート。
【図１８】例示的な装置における異なるモジュール／手段／構成要素間のデータフローを示す概念データフロー図。
【図１９】処理システムを採用する装置のためのハードウェア実装形態の一例を示す図。
【図２０】例示的な装置における異なるモジュール／手段／構成要素間のデータフローを示す概念データフロー図。
【図２１】処理システムを採用する装置のためのハードウェア実装形態の一例を示す図。
【発明を実施するための形態】
【００１０】
[0030]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１１】
[0031]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１２】
[0032]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0033]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１４】
[0034]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１５】
[0035]Ｅ−ＵＴＲＡＮは、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
[0036]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１７】
[0037]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用されることがある。
【００１８】
[0038]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００１９】
[0039]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２０】
[0040]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２１】
[0041]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２２】
[0042]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２３】
[0043]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２４】
[0044]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0045]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２６】
[0046]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２７】
[0047]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0048]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0049]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0050]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
[0051]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３２】
[0052]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００３３】
[0053]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0054]ＵＬ送信は、ＵＥ６５０における受信機機能に関して説明した方法と同様の方法でｅＮＢ６１０において処理される。各受信機６１８ＲＸが、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００３５】
[0055]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００３６】
[0056]セルラーネットワークにおけるセルラー通信性能を高めるために、いくつかのスモールセル（たとえば、低電力基地局）が、マクロセルによってサービスされるセルエリア内に展開され得る。スモールセル緻密化（たとえば、エリア内の近接したスモールセルの数を増加させること）は、モバイル通信における難しい設計問題を提示する。そのような設計問題は、モビリティ処理、干渉処理などを含み得る。マクロセルは、スモールセルと同じ地理的領域中に展開されることも展開されないこともある。スモールセルは、マクロセルと同じキャリア周波数（同一チャネル）であるか、または異なるキャリア周波数であり得る。
【００３７】
[0057]スモールセルをより良く管理するために、スモールセルはアクティブ状態とドーマント状態とをサポートし得る。たとえば、スモールセルは、スモールセルが少なくとも１つのＵＥ（または最小数のＵＥ）をサービスするとき、アクティブ状態（たとえば、オン状態）にあり得、ＵＥ（または最小数のＵＥ）をサービスしていないとき、ドーマント状態（たとえば、オフ状態）にあり得る。ドーマント状態にあるスモールセルは、スモールセルに近づいているＵＥがあるとき、再アクティブ化され、アクティブ状態に入り得る。アクティブ／ドーマント状態遷移を可能にするために、スモールセルは発見信号を送信し得る。一例では、スモールセルは、ドーマント状態にある間に発見信号を送信するように構成され得る。別の例では、スモールセルは、ドーマント状態またはアクティブ状態のいずれかにある間に発見信号を送信するように構成され得る。たとえば、発見信号は、粗い時間／周波数同期および／または測定のために使用され得る。
【００３８】
[0058]図７は、例示的なスモールセル展開構成を示す図７００である。図７は、同じ地理的エリア内で動作し得るマクロセル７０２とスモールセル７０４との屋外展開を示している。一態様では、スモールセル７０４は、セル１  ７０５と、セル２  ７０７と、セル３  ７０９とを含み得る。図７では、スモールセル７０４は、バックホールリンク７０８および７１０を通じて互いに結合される。さらに、スモールセル７０４は、バックホールリンク７０６を通じてマクロセル７０２に結合される。図７の構成では、マクロセル７０２とスモールセル７０４とは周波数帯域（たとえば、周波数帯域Ｆ１）を共有する。
【００３９】
[0059]図８は、例示的なスモールセル展開構成を示す図８００である。図８は、同じ地理的エリア内で動作し得るマクロセル８０２とスモールセル８０４との屋外展開を示している。一態様では、スモールセル８０４は、セル１  ８０５と、セル２  ８０７と、セル３  ８０９とを含み得る。図８では、スモールセル８０４は、バックホールリンク８０８および８１０を通じて互いに結合される。さらに、スモールセル８０４は、バックホールリンク８０６を通じてマクロセル８０２に結合される。図８の構成では、マクロセル８０２は第１の周波数帯域（たとえば、周波数帯域Ｆ１）を使用し、スモールセル８０４は、第１の周波数帯域とは異なる第２の周波数帯域（たとえば、周波数帯域Ｆ２）を使用する。
【００４０】
[0060]図９は、例示的なスモールセル展開構成を示す図９００である。図９は、屋外に展開されるマクロセル９０２と、屋内に展開されるが、同じ地理的エリア内で動作し得るスモールセル９０４とを示している。一態様では、スモールセル９０４は、セル１  ９０５と、セル２  ９０７と、セル３  ９０９とを含み得る。図９では、スモールセル９０４は、バックホールリンク９０８および９１０を通じて互いに結合される。さらに、スモールセル９０４は、バックホールリンク９０６を通じてマクロセル９０２に結合される。図９の構成では、マクロセル９０２は第１の周波数帯域（たとえば、周波数帯域Ｆ１）を使用し、スモールセル９０４は、第１の周波数帯域とは異なる第２の周波数帯域（たとえば、周波数帯域Ｆ２）を使用する。
【００４１】
[0061]図１０は、例示的なスモールセル展開構成を示す図１０００である。図１０は、屋内に展開されるスモールセル１００２を示している。一態様では、スモールセル１００２は、セル１  １００５と、セル２  １００７と、セル３  １００９とを含み得る。図１０では、スモールセル１００２は、バックホールリンク１００４および１００６を通じて互いに結合される。図１０の構成では、スモールセル１００２は、第１の周波数帯域（たとえば、周波数帯域Ｆ１）または第２の周波数帯域（たとえば、周波数帯域Ｆ２）のいずれかを使用する。図７から図１０の構成では、ユーザは、屋外展開と屋内展開のどちらの場合にも分散していることがある。
【００４２】
[0062]（基地局（ＢＳ）とも呼ばれる）スモールセル、フェムトセル、ピコセル、またはマイクロセルは、一般に、ＧＰＳおよび／またはバックホールタイミングシグナリングを使用して同期を達成する。代替的に、スモールセルは、他のスモールセルによって送信されるオーバージエア信号をリッスンすること（ネットワークリスニングとも呼ばれる）によって同期を達成し得る。同期を達成するためにネットワークリスニングを使用するとき、スモールセルは、他のスモールセルによって送信される基準信号からタイミング／周波数情報を収集し得る。その上、そのようなスモールセルは、基準信号の送信を介してタイミング／周波数情報を異なるスモールセルに与え得る。ネットワークリスニングを実施するスモールセルの各々は、同期ステータスとストレータム（stratum）レベルとに関連付けられ得る。たとえば、基準信号を送信する第１のスモールセルはＮのストレータムレベルを有し得、基準信号を使用してネットワークリスニングを実施する第２のスモールセルはストレータムレベルＮ＋１を有し得る。たとえば、ＧＰＳを介してタイミングを収集する第１のスモールセルはストレータムレベル０を有し得（たとえば、Ｎ＝０）、第１のスモールセルによって送信される基準信号に基づいてネットワークリスニングを実施する第２のスモールセルはストレータムレベル１を有し得る（たとえば、Ｎ＋１＝１）。
【００４３】
[0063]スモールセルは、ＭＢＳＦＮサブフレームのＭＢＳＦＮ領域中で、スペシャルサブフレーム中で、または協調サイレンス持続時間（coordinated silence duration）を介して、他のスモールセルから送信されるＣＲＳを監視し得る。バックホールを介した協調および／またはネットワーク全体の構成が、適切な動作を保証するために使用され得る。ストレータムレベルおよび同期ステータスなど、情報は、バックホールを介して共有され、および／またはネットワーク同期信号がどのように送信されるかの構成を通して示され得る。
【００４４】
[0064]いくつかのネットワークは、トラフィック適応のための拡張干渉管理（ｅＩＭＴＡ：enhanced interference management for traffic adaptation）とも呼ばれる動的ＴＤＤサブフレーム構成を採用し得る。一実装形態では、半静な様式でレガシーＵＥおよび新しいＵＥのための特定のＴＤＤ  ＤＬ／ＵＬ構成をブロードキャストするために、システム情報ブロック１（ＳＩＢ１）が使用され得る。別の実装形態では、グループ信号またはＵＥ固有信号が、動的な様式で異なるＴＤＤ  ＤＬ／ＵＬサブフレーム構成を示すために新しいＵＥに通信され得る。たとえば、そのような指示は１０．０ｍｓ程度の速さであり得る。たとえば、ＳＩＢ１中でシグナリングされるＵＬサブフレームはＤＬサブフレームとして示され得る。別の例では、ＳＩＢ１中のスペシャルサブフレームは通常ＤＬサブフレームとして示され得る。一例では、ＵＥのために動的に示される可能なＤＬ／ＵＬサブフレーム構成は、事前構成されたまたは規格化されたＤＬ／ＵＬサブフレーム構成に限定される。
【００４５】
[0065]図１１は、スモールセルによる基準信号の送信を示す図１１００である。図１１、スモールセル１、２、および３は、ＴＤＭ方式を実装することによって基準信号を送信し得る。一態様では、スモールセル１、２、および３は、図７から図１０に関して上記で説明した様々な展開におけるスモールセルに対応し得る。たとえば、図１１中のスモールセル１、２、および３は、それぞれ図７中のセル１  ７０５、セル２  ７０７、およびセル３  ７０９に対応し得る。図１１にさらに示されているように、各スモールセル（たとえば、セル１）は、発見信号として働く、実線によって示された基準信号（たとえば、基準信号１１０２）と、ネットワーク同期信号として働く、パターン化線によって示された基準信号（たとえば、基準信号１１０８）とを送信し得る。たとえば、図１１中の基準信号は、測位基準信号（ＰＲＳ）、ＣＲＳ、１次同期信号（ＰＳＳ：primary synchronization signal）、または２次同期信号（ＳＳＳ：secondary synchronization signal）であり得る。
【００４６】
[0066]一態様では、発見信号として働く基準信号の送信は、ネットワーク同期信号として働く基準信号の送信とは異なって構成され得る。たとえば、発見信号として働く基準信号は、異なるスモールセルにわたってサブフレームの同じセット中で送信され得る。図１１を参照すると、たとえば、セル１、２、および３は、時間ｔ0において同じサブフレーム内で発見信号として働くそれぞれの基準信号１１０２、１１０４、および１１０６を送信し得る。しかしながら、（たとえば、ネットワークリスニングのための）ネットワーク同期信号として働く基準信号は、異なるストレータムレベルについて異なるサブフレーム中で送信され得る。たとえば、図１１を参照すると、ストレータムレベル０のセル１は時間ｔ1において基準信号１１０８を送信し得、ストレータムレベル１のセル２は時間ｔ2において基準信号１１１０を送信し得、ストレータムレベル２のセル３は時間ｔ3において基準信号１１１２を送信し得、ここで、ｔ1＜ｔ2＜ｔ3である。一態様では、図１１に示されているように、ネットワーク同期信号として働く基準信号は、発見信号として働く基準信号よりも小さい周期性で送信され得る。
【００４７】
[0067]一態様では、ネットワーク同期信号として働く１つまたは複数の基準信号は、発見信号として働く基準信号と同じサブフレーム中で送信され得る。そのような態様では、発見信号として働く基準信号と、ネットワーク同期信号として働く基準信号とは、同じサブフレーム中で送信されるとき、別個であるかまたは異なり得る。
【００４８】
[0068]一態様では、スモールセル（たとえば、セル１）が、ネットワーク同期信号として働く基準信号（たとえば、基準信号１１０８）を送信しているサブフレーム中に、他のスモールセル（たとえば、セル２および３）は、他のスモールセルのためのネットワーク同期を可能にするために、そのサブフレーム中にサイレント（silent）のままになり（たとえば、送信することを抑制し）得る。たとえば、図１１に示されているように、セル１が時間ｔ1において基準信号１１０８を送信するとき、セル２および３は、基準信号１１０８への干渉を回避するために時間ｔ1においてサイレントのままになる。したがって、セル２が時間ｔ2において基準信号１１１０を送信するとき、セル３は基準信号１１１０への干渉を回避するために時間ｔ2においてサイレントのままになる。
【００４９】
[0069]一態様では、発見信号として働く基準信号と、ネットワーク同期信号として働く基準信号とは、少なくともいくつかのストレータムレベルについてサブフレームの同じセット中で送信され得る。そのような態様では、ネットワーク同期信号として働く基準信号は、発見信号として働く基準信号よりも（少なくともモニタリングの観点から）小さい周期性で送信され得る。一態様では、ネットワーク同期信号として働く基準信号は、発見信号として働く基準信号と同じであり得る。別の態様では、ネットワーク同期信号として働く基準信号は、発見信号として働く基準信号とは異なり得る。
【００５０】
[0070]一態様では、発見信号として働く基準信号はＣＲＳおよび／またはＰＲＳに基づき得る。たとえば、スモールセルは、発見サブフレーム中でＣＲＳとＰＲＳの両方を送信し得る。スモールセルは、セル識別のために発見サブフレーム中でＰＳＳおよび／またはＳＳＳをも送信し得る。一態様では、ＣＲＳは、ＭＢＳＦＮサブフレームのＭＢＳＦＮ領域中で省略され得る。一態様では、ＰＳＳおよび／またはＳＳＳの存在は、サブフレームインデックスとシステムフレーム構造（たとえば、ＦＤＤまたはＴＤＤ）とに依存し得る。たとえば、スモールセルがＦＤＤフレーム構造を実装するとき、ＰＳＳおよび／またはＳＳＳは、サブフレーム０および５中に存在し得、ＦＤＤフレームのサブフレーム１〜４および６〜９中に存在しないことがある。そのような例では、ＰＳＳおよび／またはＳＳＳが存在しないとき、ＣＲＳおよび／またはＰＲＳがセル識別のために使用され得る。代替的に、セル識別を可能にするために、ＰＳＳおよび／またはＳＳＳは、発見信号および／またはネットワーク同期信号を含んでいるすべてのサブフレーム中に存在し得る。
【００５１】
[0071]一態様では、ＵＥは、ＰＲＳ、ＣＲＳ、またはＰＲＳとＣＲＳとの組合せを使用して測定を実施し得る。一態様では、スモールセルは、ＰＲＳが常にダウンリンクシステム帯域幅全体を占有するとは限らないように、ＰＲＳの帯域幅を構成し得る。たとえば、スモールセルは、中心の６つのＲＢを含むＰＲＳのためのデフォルト帯域幅を適用し得る。一態様では、ＵＥがＣＲＳとＰＲＳとの組合せを使用して測定を実施し得るように、ＰＲＳのリソース要素単位エネルギー（ＥＰＲＥ：energy per resource element）が、ＵＥに示されるか、またはＵＥによって仮定され得る。たとえば、ＰＲＳの帯域幅にかかわらず、ＵＥは、ＰＲＳのＥＰＲＥがＣＲＳのＥＰＲＥと同じであると仮定し得る。
【００５２】
[0072]一態様では、ネットワーク同期信号として働く基準信号はＣＲＳおよび／またはＰＲＳに基づき得る。一態様では、スモールセルは、ネットワーク同期サブフレーム中でＣＲＳとＰＲＳの両方を送信し得る。そのような態様では、スモールセルは、セル識別のためにＰＳＳおよび／またはＳＳＳをも送信し得る。別の態様では、スモールセルはＰＳＳおよび／またはＳＳＳを送信しないことがある。一態様では、スモールセルは、ＭＢＳＦＮサブフレームのＭＢＳＦＮ領域中でＣＲＳを省略し得る。一態様では、ＵＥは、ＰＲＳ、ＣＲＳ、またはＰＲＳとＣＲＳとの組合せを使用して測定を実施し得る。たとえば、ＣＲＳならびにＰＳＳおよび／またはＳＳＳがネットワークリスニングサブフレーム中に存在しないとき、ＵＥはセル識別のためにＰＲＳを使用し得る。一態様では、スモールセルは、ＰＲＳが常にダウンリンクシステム帯域幅全体を占有するとは限らないように、ＰＲＳの帯域幅を構成し得る。たとえば、スモールセルは、中心の６つのＲＢを含むＰＲＳのためのデフォルト帯域幅を適用し得る。
【００５３】
[0073]一態様では、スモールセルが、ＴＤＤフレーム構造を使用しており、（ＳＩＢ１中で示される）ＴＤＤ  ＤＬ／ＵＬサブフレーム構成０を適用するとき、ＭＢＳＦＮサブフレームはネットワークリスニングのために構成されないことがある。一態様では、スモールセルは、ネットワークリスニングのためにスペシャルサブフレーム中にガード期間を実装し得る。一態様では、スモールセルはスペシャルサブフレーム中でＰＲＳを送信し得る。そのような態様では、これらのスペシャルサブフレームのガード期間中でのＰＲＳの送信は、通常サブフレーム中のＰＲＳの単純なトランケートされたバージョンであり得る。
【００５４】
[0074]図１２は、ＴＤＤタイプフレームのサブフレーム１２００を示す図である。図１２に示されているように、サブフレーム１２００は、シンボル１２０２、１２０４、１２０６、１２０８、１２１０、１２１２、１２１４、１２１６、１２１８、１２２０、１２２２、１２２４、１２２６、および１２２８（たとえば、シンボル０〜１３）など、１４個のシンボルを含む。他の態様では、サブフレーム１２００は、より大きいまたはより小さい数のシンボルを含み得る。一態様では、サブフレーム１２００は、ＵＥによるＵＬ送信のために割り振られたＵＬサブフレームであり得る。そのような態様では、スモールセルは、ネットワーク同期信号として働く基準信号を送信するためにサブフレーム１２００を使用し得る。同じセルは、スケジューリングまたはシグナリングを介して、ＵＬ送信がサブフレーム中で実施されないことを保証し得る。一例として、スモールセルは、１つまたは複数のＵＥに対してブロードキャストメッセージまたはユニキャストメッセージ中でサブフレーム１２００を識別し得る。たとえば、スモールセルは、ＳＩＢ１ブロードキャスト中でサブフレーム１２００を識別し得、ＳＩＢ１ブロードキャストを受信したＵＥは、サブフレーム１２００中で送信することを抑制し得る。一例として、スモールセルは、専用メッセージ中でサブフレーム１２００を識別し得、専用メッセージを受信したＵＥは、サブフレーム１２００中で送信することを抑制し得る。
【００５５】
[0075]一態様では、ＵＬサブフレームとして割り振られたサブフレーム１２００は、ＭＢＳＦＮサブフレーム、通常ＤＬサブフレーム、またはＣＲＳがその中で送信されないサブフレームとして使用され得る。したがって、スモールセルは、サブフレーム１２００中でネットワーク同期信号として働く基準信号を送信し得る。一態様では、基準信号は、ＰＲＳ、ＣＲＳ、ＰＳＳ、またはＳＳＳであり得る。たとえば、図１２に示されているように、スモールセルは、サブフレーム１２００のシンボル１２０８、１２１２、１２１４、１２１８、１２２０、１２２２、および１２２６（たとえば、シンボル３、５、６、８〜１０、および１２）中でＰＲＳを送信し得、空のシンボル１２０４、１２０６、１２１０、１２１６、および１２２４（たとえば、空のシンボル１、２、４、７、および１１）中で送信しないことがあり、ここで、ＰＲＳは、他のスモールセルがスモールセルと同期することを可能にする。一態様では、サブフレーム中でネットワークリスニングを実施するスモールセルは、サブフレーム１２００中に送信しないことがある。別の態様では、サブフレーム１２００中でネットワークリスニングを実施するスモールセルは、１つまたは複数のシンボル中で制御情報を送信するように構成され得る。
【００５６】
[0076]一態様では、図１２に示されているように、スモールセルは、ＵＬモードからＤＬモードへの（たとえば、受信モードから送信モードへの）および／またはＤＬモードからＵＬモードへの（たとえば、送信モードから受信モードへの）スモールセルによる切替えを可能にするために、（１つまたは複数の）最初のシンボル（たとえば、スモールセルがレガシー制御シンボルを有しない場合、シンボル０、またはスモールセルがシンボル０およびシンボル１中に２つのレガシー制御シンボルを有する場合、シンボル２）および／または（１つまたは複数の）最後のシンボル（たとえば、シンボル１３）中で送信しないように構成され得る。一態様では、ＵＥは、サブフレーム１２００中に送信することを禁止され得る。一態様では、ＵＥ送信は、透過的な様式でスモールセルによって管理され得る。
【００５７】
[0077]図１３は、ＴＤＤタイプフレームのサブフレーム１３００を示す図である。図１３に示されているように、サブフレーム１３００は、シンボル１３０２、１３０４、１３０６、１３０８、１３１０、１３１２、１３１４、１３１６、１３１８、１３２０、１３２２、１３２４、１３２６、および１３２８（たとえば、シンボル０〜１３）など、１４個のシンボルを含む。他の態様では、サブフレーム１３００は、より大きいまたはより小さい数のシンボルを含み得る。一態様では、サブフレーム１３００は、ＵＥによるＵＬ送信のために割り振られたＵＬサブフレームであり得る。そのような態様では、スモールセルは、ネットワーク同期信号として働く基準信号を送信するためにサブフレーム１３００を使用し得る。同じセルは、スケジューリングまたはシグナリングを介して、ＵＬ送信がサブフレーム中で実施されないことを保証し得る。一例として、スモールセルは、１つまたは複数のＵＥに対してメッセージ中でサブフレーム１３００を識別し得る。たとえば、スモールセルは、ブロードキャスト／グループキャストメッセージまたは専用メッセージ中でＵＥに対してサブフレーム１３００を識別し得、ＵＥは、サブフレーム１３００中で送信することを抑制し得る。
【００５８】
[0078]一態様では、ＵＬサブフレームとして割り振られたサブフレーム１３００は、ＭＢＳＦＮサブフレーム、通常ＤＬサブフレーム、またはＣＲＳがその中で送信されないサブフレームとして使用され得る。したがって、スモールセルは、サブフレーム１３００中でネットワーク同期信号として働く基準信号を送信し得る。一態様では、基準信号は、ＰＲＳ、ＣＲＳ、ＰＳＳ、またはＳＳＳであり得る。たとえば、図１３に示されているように、スモールセルは、サブフレーム１３００のシンボル１３０４、１３０６、１３０８、１３１２、１３１４、１３１８、１３２０、１３２２、および１３２６（たとえば、シンボル１〜３、５、６、８〜１０、および１２）中でＰＲＳを送信し得、空のシンボル１３１０、１３１６、および１３２４（たとえば、空のシンボル４、７、および１１）中で送信しないことがあり、ここで、ＰＲＳは、他のスモールセルがスモールセルと同期することを可能にする。一態様では、サブフレーム中でネットワークリスニングを実施するスモールセルは、サブフレーム１３００中に送信しないことがある。別の態様では、サブフレーム１３００中でネットワークリスニングを実施するスモールセルは、１つまたは複数のシンボル中で制御情報を送信するように構成され得る。
【００５９】
[0079]一態様では、図１３に示されているように、スモールセルは、ＵＬモードからＤＬモードへのおよび／またはＤＬモードからＵＬモードへのスモールセルによる切替えを可能にするために、（１つまたは複数の）最初のシンボル（たとえば、シンボル０）および／または（１つまたは複数の）最後のシンボル（たとえば、シンボル１３）中で送信しないように構成され得る。一態様では、ＵＥは、サブフレーム１３００中に送信することを禁止され得る。一態様では、ＵＥ送信は、透過的な様式でスモールセルによって管理され得る。
【００６０】
[0080]図１４は、ＴＤＤタイプフレームのサブフレーム１４００を示す図である。図１４に示されているように、サブフレーム１４００は、シンボル１４０２、１４０４、１４０６、１４０８、１４１０、１４１２、１４１４、１４１６、１４１８、１４２０、１４２２、１４２４、１４２６、および１４２８（たとえば、シンボル０〜１３）など、１４個のシンボルを含む。他の態様では、サブフレーム１４００は、より大きいまたはより小さい数のシンボルを含み得る。一態様では、サブフレーム１４００は、スモールセルによるＤＬ送信のために割り振られたＤＬサブフレームであり得る。そのような態様では、スモールセルは、ネットワーク同期信号として働く基準信号を送信および／または受信するためにサブフレーム１４００を使用し得る。
【００６１】
[0081]一態様では、図１４を参照すると、ネットワークリスニングを実施するスモールセルは、サブフレーム１４００がＭＢＳＦＮサブフレームでないとき（たとえば、ＣＲＳが依然として送信される必要があるとき）、サブフレーム１４００の１つまたは複数のシンボル中で基準信号を送信し得る。たとえば、スモールセルは、シンボル１４０２（たとえば、シンボル０）中でＣＲＳと制御情報とを送信し、シンボル１４１０、１４１６、および１４２４（たとえば、シンボル４、７、および１１）中でＣＲＳを送信し得る。図１４に示されているように、スモールセルは、サブフレーム１４００の１つまたは複数のシンボル中でネットワーク同期信号として働く基準信号を受信することによって、ネットワークリスニングを実施し得る。たとえば、スモールセルは、サブフレーム１４００のシンボル１４０６および１４２０（たとえば、シンボル２および９）中でＰＲＳを受信し得る。図１４にさらに示されているように、サブフレーム１４００は、ＵＬモードからＤＬモードへのおよび／またはＤＬモードからＵＬモードへのスモールセルによる切替えを可能にするための予約済みシンボルを含み得る。たとえば、シンボル０中でＣＲＳと制御情報とを送信した後に、スモールセルは、シンボル１４０６（たとえば、シンボル２）中でＰＲＳを受信するために、シンボル１４０４（たとえば、シンボル１）中にＤＬモードからＵＬモードに切り替わり得る。スモールセルは、次いで、シンボル１４１０（たとえば、シンボル４）中でＣＲＳを送信するために、シンボル１４０８（たとえば、シンボル３）中にＵＬモードからＤＬモードに切り替わり得る。別の態様では、スモールセルがネットワークリスニングを実施しておらず、ネットワーク同期信号として働く基準信号を送信するように構成されたとき、スモールセルは、他のスモールセルがスモールセルと同期することを可能にするために、サブフレーム１４００中でそのような基準信号（たとえば、ＰＲＳ）を送信し得る。
【００６２】
[0082]一態様では、発見信号および／またはネットワーク同期信号として働く基準信号のためのサイクリックプレフィックス（ＣＰ）が決定される。サイクリックプレフィックスは、ノーマルＣＰまたは拡張ＣＰのうちの少なくとも１つであり得る。発見信号および／またはネットワーク同期信号として働く基準信号としてＰＲＳが使用される場合、基準信号のためのＣＰは、測位目的のために使用されるＰＲＳのためのＣＰと同じ様式で決定され得る。代替的に、発見信号および／またはネットワーク同期信号として働くＰＲＳのためのＣＰは、測位目的のために使用されるＰＲＳのためのＣＰと比較して別個に決定され得る。一例として、所与のスモールセルについて、発見信号および／またはネットワーク同期信号として働くＰＲＳのためのＣＰはノーマルＣＰとして決定され得るが、測位目的のために使用されるＰＲＳのためのＣＰは拡張ＣＰとして決定され得る。
【００６３】
[0083]一態様では、発見信号および／またはネットワーク同期信号の各周期送信インスタンスは、Ｌ個のサブフレームにわたり得る。ここで、Ｌ≧１である。一例として、ネットワーク同期信号は６４０ｍｓごとにスモールセルによって送信され得、各送信インスタンス内で、ネットワーク同期信号は２つの連続するサブフレーム中で送信され得る。Ｌ個のサブフレームは連続するサブフレームであり得る。連続するサブフレームの例は、連続するダウンリンクサブフレーム（すなわち、アップリンクサブフレームを除外する）、あるいは連続する固定ダウンリンクサブフレーム（すなわち、アップリンクサブフレームと、サブフレーム方向の動的変更を受けるダウンリンクサブフレームとを除外する）、あるいはスペシャルサブフレームおよび／またはアップリンクサブフレームを含む連続するサブフレームを含み得る。Ｌ個のサブフレームは非連続サブフレームでもあり得る。一例として、Ｌ＝２である場合、２つのサブフレームはサブフレーム０および５であり得る。パラメータＬは所定または構成可能であり得る。パラメータＬが構成可能である場合、パラメータＬは、ブロードキャストメッセージまたは専用メッセージを介してＵＥまたはネイバリングスモールセルに示され得る。ＵＥまたはネイバリングスモールセルは、たとえば、コヒーレントにまたは非コヒーレント合成によって、発見関係性能および／またはネットワーク同期関係性能を改善するために、これらのＬ個の連続するサブフレームを利用し得る。
【００６４】
[0084]一態様では、スモールセルは、発見信号および／またはネットワーク同期信号として働く基準信号に関連するパラメータを１つまたは複数のＵＥおよび／または１つまたは複数の（ｅＮＢなどの）他のノードに送信し得る。たとえば、パラメータは、基準信号のための構成された帯域幅、基準信号を含むサブフレームを識別する情報、ストレータムレベル、および／または基準信号のリソース要素単位エネルギー（ＥＰＲＥ）を含み得る。一態様では、スモールセルは、それ自体でそのようなパラメータをブロードキャストし得る。別の態様では、パラメータは、同じまたは異なるキャリア周波数を使用して、異なるスモールセルから１つまたは複数のＵＥにブロードキャストされ得る。別の態様では、スモールセルは、ＲＲＣ接続ＵＥのための専用シグナリングを介してパラメータを１つまたは複数のＵＥに送信し得る。別の態様では、スモールセルは、バックホールシグナリングを介してパラメータを１つまたは複数のＵＥに送信し得る。
【００６５】
[0085]図１５は、ワイヤレス通信の方法のフローチャート１５００である。本方法はｅＮＢによって実施され得る。図１５において点線で表されたステップは随意のステップを表すことを理解されたい。したがって、ステップ１５０４、１５０６、１５０８、１５１０、１５１２、および１５１８は、ワイヤレス通信方法１５００における随意のステップを表す。
【００６６】
[0086]ステップ１５０２において、ｅＮＢは、発見または測定のうちの少なくとも１つのための第１の基準信号と、同期のための第２の基準信号とを決定する。これは、１つまたは複数のＵＥへの送信のために第１の基準信号と第２の基準信号とをスケジュールすることを含み得る。一態様では、第１の基準信号と第２の基準信号の両方は、ＰＲＳ、ＣＲＳ、ＰＳＳ、またはＳＳＳなど、同じタイプの基準信号に基づき得る。たとえば、第１の基準信号は、ｅＮＢの近くのＵＥがそのｅＮＢを発見することを可能にし得る。たとえば、第２の基準信号は、第２のｅＮＢがｅＮＢと同期することを可能にし得る。
【００６７】
[0087]ステップ１５０４において、ｅＮＢは、第１の基準信号または第２の基準信号のうちの少なくとも１つのためのサイクリックプレフィックスを決定し、ここで、決定されたサイクリックプレフィックスは共通基準信号のサイクリックプレフィックスとは異なる。
【００６８】
[0088]ステップ１５０６において、ｅＮＢはｅＮＢのダウンリンクシステム帯域幅を決定する。たとえば、ｅＮＢは、ダウンリンクシステム帯域幅がそこに記憶されたメモリデバイスのメモリアドレスを識別することによって、およびダウンリンクシステム帯域幅を取り出すための命令を実行することによって、ダウンリンクシステム帯域幅を決定し得る。
【００６９】
[0089]ステップ１５０８において、ｅＮＢは、第１の基準信号および／または第２の基準信号のための帯域幅を構成する。一態様では、構成された帯域幅はダウンリンクシステム帯域幅に等しいことがある。別の態様では、構成された帯域幅はダウンリンクシステム帯域幅よりも小さい。たとえば、ｅＮＢは、ダウンリンクシステム帯域幅よりも小さい好適な帯域幅を選択することによって帯域幅を構成し得る。
【００７０】
[0090]ステップ１５１０において、ｅＮＢは、サブフレームの第２のセット中の少なくとも１つのサブフレーム中で信号を送信することを抑制するようにとの命令をＵＥに送信する。これは、スモールセルが、ＵＥからのアップリンク干渉なしに、ネットワーク信号および発見信号のためにサブフレームを使用することを可能にする。
【００７１】
[0091]ステップ１５１２において、ｅＮＢは、第１の基準信号および／または第２の基準信号に関連する１つまたは複数のパラメータを別のノードに送信する。一態様では、ノードはＵＥまたは別のｅＮＢであり得る。一態様では、１つまたは複数のパラメータは、構成された帯域幅、（第１の基準信号または第２の基準信号のうちの少なくとも１つを含む）サブフレームを識別する情報、ストレータムレベル、および／あるいは第１の基準信号または第２の基準信号のうちの少なくとも１つのＥＰＲＥを含み得る。
【００７２】
[0092]ステップ１５１４において、ｅＮＢは、サブフレームの第１のセットの１つまたは複数のシンボル中で第１の基準信号を送信する。一態様では、第１の基準信号は、構成された帯域幅を使用して送信される。
【００７３】
[0093]ステップ１５１６において、ｅＮＢは、サブフレームの第２のセットの１つまたは複数のシンボル中で第２の基準信号を送信する。一態様では、第２の基準信号は、構成された帯域幅を使用して送信される。一態様では、サブフレームの第１のセットとサブフレームの第２のセットとが同等でないように、サブフレームの第１のセットとサブフレームの第２のセットとは少なくとも１つのサブフレームだけ異なる。一態様では、サブフレームの第２のセット中の少なくとも１つのサブフレームはスペシャルサブフレームまたはＵＬサブフレームのうちの１つであり、ここにおいて、少なくとも１つのサブフレームの少なくとも一部分は、ＵＥによるＵＬ信号の送信のために割り振られる。一態様では、サブフレームの第１のセットおよび／またはサブフレームの第２のセットは周期構成に基づく。一態様では、第１の基準信号および／または第２の基準信号は、２つまたはそれ以上の連続するサブフレーム中で送信される。
【００７４】
[0094]最後に、ステップ１５１８において、ｅＮＢは、サブフレームの第２のセット中のサブフレームの少なくともサブセット中の第１のシンボルおよび／または第２のシンボル中に送信することを抑制する。一態様では、第１のシンボルは、第２の基準信号がその中で送信される１つまたは複数のシンボルよりも前にあり、第２のシンボルは、第２の基準信号がその中で送信される１つまたは複数のシンボルよりも後にある。一態様では、第１のシンボルはサブフレーム中の最初のシンボルであり、第２のシンボルはサブフレーム中の最後のシンボルである。
【００７５】
[0095]図１６は、ワイヤレス通信の方法のフローチャート１６００である。本方法はｅＮＢによって実施され得る。図１６において点線で表されたステップは随意のステップを表すことを理解されたい。したがって、ステップ１６０８は、ワイヤレス通信方法１６００における随意のステップを表す。
【００７６】
[0096]ステップ１６０２において、ｅＮＢは、少なくとも１つの基準信号が受信されるべきサブフレームのセットの１つまたは複数のシンボルを決定する。一態様では、少なくとも１つの基準信号は、少なくとも第２のｅＮＢとの同期のためのものである。一態様では、サブフレームのセットの各々はスペシャルサブフレームまたはＵＬサブフレームうちの１つであり、ここで、スペシャルサブフレームまたはＵＬサブフレームの少なくとも一部分は、ＵＥによるＵＬ信号の送信のために割り振られる。一態様では、少なくとも１つの基準信号はＰＲＳである。
【００７７】
[0097]ステップ１６０４において、ｅＮＢは、サブフレームのセットの決定された１つまたは複数のシンボル中に送信することを抑制する。
【００７８】
[0098]ステップ１６０６において、ｅＮＢは、サブフレームのセットの１つまたは複数のシンボル中で少なくとも１つの基準信号を受信する。
【００７９】
[0099]最後に、ステップ１６０８において、ｅＮＢは、受信された少なくとも１つの基準信号に基づいて少なくとも第２の基地局と同期する。
【００８０】
[00100]図１７は、ワイヤレス通信の方法のフローチャート１７００である。本方法はＵＥによって実施され得る。図１７において点線で表されたステップは随意のステップを表すことを理解されたい。したがって、ステップ１７０２は、ワイヤレス通信方法１７００における随意のステップを表す。
【００８１】
[00101]ステップ１７０２において、ＵＥは、ｅＮＢから第１の基準信号および／または第２の基準信号に関連する１つまたは複数のパラメータを受信する。一態様では、１つまたは複数のパラメータは、構成された帯域幅、第１の基準信号または第２の基準信号のうちの少なくとも１つを含むサブフレームを識別する情報、ストレータムレベル、および／あるいは第１の基準信号または第２の基準信号のうちの少なくとも１つのＥＰＲＥを含み得る。
【００８２】
[00102]ステップ１７０４において、ＵＥは、発見または測定のうちの少なくとも１つのための第１の基準信号および／あるいは同期のための第２の基準信号を受信する。一態様では、第１の基準信号および／または第２の基準信号は、ｅＮＢによって構成された帯域幅を有する。一態様では、帯域幅は、ｅＮＢのダウンリンクシステム帯域幅よりも小さい。一態様では、第１の基準信号および／または第２の基準信号は、ＰＲＳ、ＣＲＳ、ＰＳＳ、またはＳＳＳなど、同じタイプの基準信号に基づく。
【００８３】
[00103]最後に、ステップ１７０６において、ＵＥは、第１の基準信号または第２の基準信号のうちの少なくとも１つに基づいて少なくとも１つのセル（たとえば、ｅＮＢ）を検出する。
【００８４】
[00104]図１８は、例示的な装置１８０２における異なるモジュール／手段／構成要素間のデータフローを示す概念データフロー図１８００である。本装置はｅＮＢであり得る。本装置は、サブフレームのセットの１つまたは複数のシンボル中で少なくとも１つの基準信号１８０５を受信するモジュール１８０４を含む。本装置は、少なくとも１つの基準信号１８０５が受信されるべきサブフレームを決定するモジュール１８０６をさらに含む。一態様では、モジュール１８０６は、決定されたサブフレームを信号１８０７中で受信モジュールに与え得る。本装置は、少なくとも１つの基準信号１８０５を受信し、受信された少なくとも１つの基準信号１８０５に基づいて少なくとも第２の基地局１８５０と同期する、モジュール１８０８をさらに含む。たとえば、モジュール１８０８は、受信モジュール１８０４から信号１８０９中で少なくとも１つの基準信号１８０５を受信し得る。本装置は、発見または測定のうちの少なくとも１つのための第１の基準信号と、同期のための第２の基準信号とを決定し、第１の基準信号または第２の基準信号のうちの少なくとも１つのためのサイクリックプレフィックスを決定し、ｅＮＢのダウンリンクシステム帯域幅を決定する、モジュール１８１２をさらに含む。本装置は、第１の基準信号および／または第２の基準信号のための帯域幅を構成するモジュール１８１４をさらに含む。一態様では、モジュール１８１４は、モジュール１８１２から決定されたダウンリンクシステム帯域幅を示す信号１８１５を受信する。本装置は、モジュール１８１２から信号１８１９を介して第１の基準信号と第２の基準信号とを受信し、モジュール１８１４から（１つまたは複数の）決定された帯域幅１８１７を受信する、モジュール１８１６をさらに含む。モジュール１８１６は、サブフレームの第１のセットの１つまたは複数のシンボル中で第１の基準信号１８１８を送信し、サブフレームの第２のセットの１つまたは複数のシンボル中で第２の基準信号１８２１を送信する。モジュール１８１６は、さらに、第１の基準信号および／または第２の基準信号に関連する１つまたは複数のパラメータ１８２０を別のノードに送信し、サブフレームの第２のセット中の少なくとも１つのサブフレーム中で信号を送信することを抑制するようにとの命令１８２２をＵＥ１８５２に送信する。本装置は、サブフレームの第２のセット中のサブフレームの少なくともサブセット中の第１のシンボルおよび／または第２のシンボル中に送信することを抑制し、少なくとも１つの基準信号が受信されるべきサブフレームのセットの決定された１つまたは複数のシンボル中に送信することを抑制する、モジュール１８１０をさらに含む。一態様では、サブフレームの第２のセット中のサブフレームの少なくともサブセット中の第１のシンボルおよび／または第２のシンボルは、モジュール１８１２から信号１８１３中で受信される。一態様では、少なくとも１つの基準信号（たとえば、基準信号１８０５）が受信されるべきサブフレームは、信号１８１１中で抑制モジュール１８１０に示される。
【００８５】
[00105]本装置は、図１５および図１６の上述のフローチャート中のアルゴリズムのステップの各々を実施する追加のモジュールを含み得る。したがって、図１５および図１６の上述のフローチャート中の各ステップは１つのモジュールによって実施され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００８６】
[00106]図１９は、処理システム１９１４を採用する装置１８０２’のためのハードウェア実装形態の一例を示す図１９００である。処理システム１９１４は、バス１９２４によって概略的に表されるバスアーキテクチャを用いて実装され得る。バス１９２４は、処理システム１９１４の特定の適用例および全体的な設計制約に応じて、任意の数の相互接続バスおよびブリッジを含み得る。バス１９２４は、プロセッサ１９０４によって表される１つまたは複数のプロセッサおよび／またはハードウェアモジュールと、モジュール１８０４、１８０６、１８０８、１８１０、１８１２、１８１４、および１８１６と、コンピュータ可読媒体／メモリ１９０６とを含む様々な回路を互いにリンクする。バス１９２４はまた、タイミングソース、周辺機器、電圧調整器、および電力管理回路など、様々な他の回路をリンクし得るが、これらの回路は当技術分野においてよく知られており、したがって、これ以上説明しない。
【００８７】
[00107]処理システム１９１４はトランシーバ１９１０に結合され得る。トランシーバ１９１０は１つまたは複数のアンテナ１９２０に結合される。トランシーバ１９１０は、伝送媒体を介して様々な他の装置と通信するための手段を与える。トランシーバ１９１０は、１つまたは複数のアンテナ１９２０から信号を受信し、受信された信号から情報を抽出し、抽出された情報を処理システム１９１４、特に受信モジュール１８０４に与える。さらに、トランシーバ１９１０は、処理システム１９１４、特に送信モジュール１８１６から情報を受信し、受信された情報に基づいて、１つまたは複数のアンテナ１９２０に適用されるべき信号を生成する。処理システム１９１４は、コンピュータ可読媒体／メモリ１９０６に結合されたプロセッサ１９０４を含む。プロセッサ１９０４は、コンピュータ可読媒体／メモリ１９０６に記憶されたソフトウェアの実行を含む一般的な処理を担当する。ソフトウェアは、プロセッサ１９０４によって実行されたとき、処理システム１９１４に、特定の装置のための上記で説明した様々な機能を実施させる。コンピュータ可読媒体／メモリ１９０６はまた、ソフトウェアを実行するときにプロセッサ１９０４によって操作されるデータを記憶するために使用され得る。処理システムは、モジュール１８０４、１８０６、１８０８、１８１０、１８１２、１８１４、および１８１６のうちの少なくとも１つをさらに含む。それらのモジュールは、プロセッサ１９０４中で動作するか、コンピュータ可読媒体／メモリ１９０６中に常駐する／記憶されたソフトウェアモジュールであるか、プロセッサ１９０４に結合された１つまたは複数のハードウェアモジュールであるか、またはそれらの何らかの組合せであり得る。処理システム１９１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【００８８】
[00108]一構成では、ワイヤレス通信のための装置１８０２／１８０２’は、発見または測定のうちの少なくとも１つのための第１の基準信号と、同期のための第２の基準信号とを決定するための手段と、サブフレームの第１のセットの１つまたは複数のシンボル中で第１の基準信号を送信するための手段と、サブフレームの第２のセットの１つまたは複数のシンボル中で第２の基準信号を送信するための手段と、サブフレームの第２のセット中のサブフレームの少なくともサブセット中の第１のシンボルまたは第２のシンボルのうちの少なくとも１つ中に送信することを抑制するための手段と、ここで、第１のシンボルは、第２の基準信号がその中で送信される１つまたは複数のシンボルよりも前にあり、第２のシンボルは、第２の基準信号がその中で送信される１つまたは複数のシンボルよりも後にある、サブフレームの第２のセット中の少なくとも１つのサブフレーム中で信号を送信することを抑制するようにとの命令をＵＥに送信するための手段と、第１の基準信号または第２の基準信号のうちの少なくとも１つのための帯域幅を構成するための手段と、第１のＢＳ基地局のダウンリンクシステム帯域幅を決定するための手段と、ここにおいて、構成された帯域幅がダウンリンクシステム帯域幅よりも小さい、第１の基準信号または第２の基準信号のうちの少なくとも１つに関連する１つまたは複数のパラメータを別のノードに送信するための手段と、ＣＲＳ、ＰＳＳ、および／またはＳＳＳのうちの少なくとも１つを送信するための手段と、第１の基準信号または第２の基準信号のうちの少なくとも１つのためのサイクリックプレフィックスを決定するための手段と、ここで、決定されたサイクリックプレフィックスが共通基準信号のサイクリックプレフィックスとは異なる、少なくとも１つの基準信号が受信されるべきサブフレームを決定するための手段と、少なくとも１つの基準信号が受信されるべきサブフレームの少なくとも１つのシンボル中に送信することを抑制するための手段と、サブフレーム中で少なくとも１つの基準信号を受信するための手段と、受信された少なくとも１つの基準信号に基づいて少なくとも第２の基地局と同期するための手段とを含む。上述の手段は、上述の手段によって具陳された機能を実施するように構成された、装置１８０２、および／または装置１８０２’の処理システム１９１４の上述のモジュールのうちの１つまたは複数であり得る。上記で説明したように、処理システム１９１４は、ＴＸプロセッサ６１６と、ＲＸプロセッサ６７０と、コントローラ／プロセッサ６７５とを含み得る。したがって、一構成では、上述の手段は、上述の手段によって具陳された機能を実施するように構成された、ＴＸプロセッサ６１６と、ＲＸプロセッサ６７０と、コントローラ／プロセッサ６７５とであり得る。
【００８９】
[00109]図２０は、例示的な装置２００２における異なるモジュール／手段／構成要素間のデータフローを示す概念データフロー図２０００である。本装置はＵＥであり得る。本装置は、ｅＮＢ（たとえば、ｅＮＢ２０５０）から第１の基準信号および／または第２の基準信号に関連する１つまたは複数のパラメータ（たとえば、（１つまたは複数の）パラメータ２０１２）を受信し、発見または測定のうちの少なくとも１つのための第１の基準信号（たとえば、基準信号２０１０）および／あるいは同期のための第２の基準信号（たとえば、基準信号２０１１）を受信する、モジュール２００４を含み、ここで、第１の基準信号および／または第２の基準信号は、ｅＮＢによって構成された帯域幅を有する。本装置は、第１の基準信号または第２の基準信号のうちの少なくとも１つを示す信号２００５を受信し、第１の基準信号または第２の基準信号のうちの少なくとも１つに基づいて少なくとも１つのセル（たとえば、ｅＮＢ２０５０）を検出する、モジュール２００６をさらに含む。本装置は、検出された少なくとも１つのセル（たとえば、ｅＮＢ２０５０）を示す信号２００７を受信し、少なくとも１つのセル（たとえば、ｅＮＢ２０５０）にＵＬ信号（たとえば、ＵＬ信号２０１４）を送信する、モジュール２００８をさらに含む。
【００９０】
[00110]本装置は、図１７の上述のフローチャート中のアルゴリズムのステップの各々を実施する追加のモジュールを含み得る。したがって、図１７の上述のフローチャート中の各ステップは１つのモジュールによって実施され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００９１】
[00111]図２１は、処理システム２１１４を採用する装置２００２’のためのハードウェア実装形態の一例を示す図２１００である。処理システム２１１４は、バス２１２４によって概略的に表されるバスアーキテクチャを用いて実装され得る。バス２１２４は、処理システム２１１４の特定の適用例および全体的な設計制約に応じて、任意の数の相互接続バスおよびブリッジを含み得る。バス２１２４は、プロセッサ２１０４によって表される１つまたは複数のプロセッサおよび／またはハードウェアモジュールと、モジュール２００４、２００６、および２００８と、コンピュータ可読媒体／メモリ２１０６とを含む様々な回路を互いに接続する。バス２１２４はまた、タイミングソース、周辺機器、電圧調整器、および電力管理回路など、様々な他の回路を接続し得るが、これらの回路は当技術分野においてよく知られており、したがって、これ以上説明しない。
【００９２】
[00112]処理システム２１１４はトランシーバ２１１０に結合され得る。トランシーバ２１１０は１つまたは複数のアンテナ２１２０に結合される。トランシーバ２１１０は、伝送媒体を介して様々な他の装置と通信するための手段を与える。トランシーバ２１１０は、１つまたは複数のアンテナ２１２０から信号を受信し、受信された信号から情報を抽出し、抽出された情報を処理システム２１１４、特に受信モジュール２００４に与える。さらに、トランシーバ２１１０は、処理システム２１１４、特に送信モジュール２００８から情報を受信し、受信された情報に基づいて、１つまたは複数のアンテナ２１２０に適用されるべき信号を生成する。処理システム２１１４は、コンピュータ可読媒体／メモリ２１０６に結合されたプロセッサ２１０４を含む。プロセッサ２１０４は、コンピュータ可読媒体／メモリ２１０６に記憶されたソフトウェアの実行を含む一般的な処理を担当する。ソフトウェアは、プロセッサ２１０４によって実行されたとき、処理システム２１１４に、特定の装置のための上記で説明した様々な機能を実施させる。コンピュータ可読媒体／メモリ２１０６はまた、ソフトウェアを実行するときにプロセッサ２１０４によって操作されるデータを記憶するために使用され得る。処理システムは、モジュール２００４、２００６、および２００８のうちの少なくとも１つをさらに含む。それらのモジュールは、プロセッサ２１０４中で動作するか、コンピュータ可読媒体／メモリ２１０６中に常駐する／記憶されたソフトウェアモジュールであるか、プロセッサ２１０４に結合された１つまたは複数のハードウェアモジュールであるか、またはそれらの何らかの組合せであり得る。処理システム２１１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００９３】
[00113]一構成では、ワイヤレス通信のための装置２００２／２００２’は、発見または測定のうちの少なくとも１つのための第１の基準信号あるいは同期のための第２の基準信号のうちの少なくとも１つを受信するための手段と、第１の基準信号または第２の基準信号のうちの少なくとも１つに基づいて少なくとも１つのセルを検出するための手段と、ＢＳから第１の基準信号または第２の基準信号のうちの少なくとも１つに関連する１つまたは複数のパラメータを受信するための手段と、ＵＬ信号を送信するための手段とを含む。
【００９４】
[00114]上述の手段は、上述の手段によって具陳された機能を実施するように構成された、装置２００２、および／または装置２００２’の処理システム２１１４の上述のモジュールのうちの１つまたは複数であり得る。上記で説明したように、処理システム２１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実施するように構成された、ＴＸプロセッサ６６８と、ＲＸプロセッサ６５６と、コントローラ／プロセッサ６５９とであり得る。
【００９５】
[00115]開示したプロセス／フローチャート中のステップの特定の順序または階層は、例示的な手法の一例であることを理解されたい。設計選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９６】
[00116]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］  第１の基地局（ＢＳ）のためのワイヤレス通信の方法であって、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
サブフレームの第１のセットの１つまたは複数のシンボル中で前記第１の基準信号を送信することと、
サブフレームの第２のセットの１つまたは複数のシンボル中で前記第２の基準信号を送信することと、ここで、サブフレームの前記第１のセットとサブフレームの前記第２のセットとが少なくとも１つのサブフレームだけ異なる、
を備える方法。
［Ｃ２］  サブフレームの前記第２のセット中のサブフレームの少なくともサブセット中の第１のシンボルまたは第２のシンボルのうちの少なくとも１つ中に送信することを抑制することをさらに備え、
前記第１のシンボルは、前記第２の基準信号が送信される前記１つまたは複数のシンボルよりも前にあり、前記第２のシンボルは、前記第２の基準信号が送信される前記１つまたは複数のシンボルよりも後にある、Ｃ１に記載の方法。
［Ｃ３］  前記第１のシンボルはサブフレーム中の最初のシンボルであり、前記第２のシンボルはサブフレーム中の最後のシンボルである、Ｃ２に記載の方法。
［Ｃ４］  サブフレームの前記第２のセット中の少なくとも１つのサブフレームはスペシャルサブフレームまたはアップリンク（ＵＬ）サブフレームのうちの１つであり、前記少なくとも１つのサブフレームの少なくとも一部分はユーザ機器（ＵＥ）によるＵＬ信号の送信のために割り振られる、Ｃ１に記載の方法。
［Ｃ５］  サブフレームの前記第２のセット中の前記少なくとも１つのサブフレーム中で信号を送信することを抑制するようにとの命令をユーザ機器（ＵＥ）に送信することをさらに備える、Ｃ４に記載の方法。
［Ｃ６］  前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、Ｃ１に記載の方法。
［Ｃ７］  前記同じタイプの基準信号は、
セル固有基準信号（ＣＲＳ）、
１次同期信号（ＰＳＳ）、
２次同期信号（ＳＳＳ）、または
測位基準信号（ＰＲＳ）
のうちの少なくとも１つである、Ｃ１に記載の方法。
［Ｃ８］  前記第１の基準信号または前記第２の基準信号のうちの少なくとも１つのための帯域幅を構成することをさらに備え、前記第１の基準信号または前記第２の基準信号のうちの少なくとも１つは、前記構成された帯域幅を使用して送信される、Ｃ１に記載の方法。
［Ｃ９］  前記第１のＢＳのダウンリンクシステム帯域幅を決定することをさらに備え、前記構成された帯域幅は前記ダウンリンクシステム帯域幅よりも小さい、Ｃ８に記載の方法。
［Ｃ１０］  前記第１の基準信号または前記第２の基準信号のうちの少なくとも１つに関連する１つまたは複数のパラメータを別のノードに送信することをさらに備え、
前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、Ｃ８に記載の方法。
［Ｃ１１］  前記第１の基準信号または前記第２の基準信号のうちの少なくとも１つのためのサイクリックプレフィックスを決定することをさらに備え、前記決定されたサイクリックプレフィックスは共通基準信号のサイクリックプレフィックスとは異なる、Ｃ１に記載の方法。
［Ｃ１２］  サブフレームの前記第１のセットまたはサブフレームの前記第２のセットのうちの少なくとも１つは周期構成に基づく、Ｃ１に記載の方法。
［Ｃ１３］  少なくとも前記第１の基準信号または前記第２の基準信号は、２つまたはそれ以上の連続するサブフレーム中で送信される、Ｃ１２に記載の方法。
［Ｃ１４］  ユーザ機器（ＵＥ）のためのワイヤレス通信の方法であって、
発見または測定のうちの少なくとも１つのための第１の基準信号あるいは同期のための第２の基準信号のうちの少なくとも１つを受信することと、前記第１の基準信号または前記第２の基準信号のうちの少なくとも１つが、基地局（ＢＳ）によって構成された帯域幅を有する、
前記第１の基準信号または前記第２の基準信号のうちの少なくとも１つに基づいて少なくとも１つのＢＳを検出することと
を備える方法。
［Ｃ１５］  前記帯域幅はダウンリンクシステム帯域幅よりも小さい、Ｃ１４に記載の方法。
［Ｃ１６］  前記ＢＳから前記第１の基準信号または前記第２の基準信号のうちの少なくとも１つに関連する１つまたは複数のパラメータを受信することをさらに備え、
前記１つまたは複数のパラメータは、
前記構成された帯域幅、
前記第１の基準信号または前記第２の基準信号のうちの少なくとも１つを含むサブフレームを識別する情報、
ストレータムレベル、または
前記第１の基準信号または前記第２の基準信号のうちの少なくとも１つのリソース要素単位エネルギー（ＥＰＲＥ）
のうちの少なくとも１つを備える、Ｃ１４に記載の方法。
［Ｃ１７］  前記第１の基準信号と前記第２の基準信号とが同じタイプの基準信号に基づき、
前記同じタイプの基準信号は、
セル固有基準信号（ＣＲＳ）、
１次同期信号（ＰＳＳ）、
２次同期信号（ＳＳＳ）、または
測位基準信号（ＰＲＳ）
のうちの少なくとも１つである、Ｃ１６に記載の方法。
［Ｃ１８］  第１の基地局（ＢＳ）のためのワイヤレス通信の方法であって、
前記第１のＢＳが、少なくとも１つの基準信号が受信されるべきサブフレームのセットの１つまたは複数のシンボルを決定することと、ここにおいて、前記少なくとも１つの基準信号が少なくとも第２のＢＳとの同期のためのものである、
前記第１のＢＳが、前記決定された１つまたは複数のシンボル中に送信することを抑制することと、
サブフレームの前記セットの前記１つまたは複数のシンボル中で前記少なくとも１つの基準信号を受信することと
を備える方法。
［Ｃ１９］  前記受信された少なくとも１つの基準信号に基づいて少なくとも前記第２の基地局と同期することをさらに備える、Ｃ１８に記載の方法。
［Ｃ２０］  サブフレームの前記セットの各々はスペシャルサブフレームまたはアップリンク（ＵＬ）サブフレームのうちの１つであり、前記スペシャルサブフレームまたは前記ＵＬサブフレームの少なくとも一部分は、ユーザ機器（ＵＥ）によるＵＬ信号の送信のために割り振られる、Ｃ１８に記載の方法。
［Ｃ２１］  前記少なくとも１つの基準信号は、
セル固有基準信号（ＣＲＳ）、
１次同期信号（ＰＳＳ）、
２次同期信号（ＳＳＳ）、または
測位基準信号（ＰＲＳ）
のうちの少なくとも１つに基づく、Ｃ１８に記載の方法。
［Ｃ２２］  ワイヤレス通信のための第１の基地局（ＢＳ）であって、
メモリと、
前記メモリに結合された少なくとも１つのプロセッサと
を備え、
前記少なくとも１つのプロセッサは、
発見または測定のうちの少なくとも１つのための第１の基準信号と、同期のための第２の基準信号とを決定することと、ここにおいて、前記第１の基準信号と前記第２の基準信号の両方が同じタイプの基準信号に基づく、
サブフレームの第１のセットの１つまたは複数のシンボル中で前記第１の基準信号を送信することと、
サブフレームの第２のセットの１つまたは複数のシンボル中で前記第２の基準信号を送信することと、ここで、サブフレームの前記第１のセットとサブフレームの前記第２のセットとが少なくとも１つのサブフレームだけ異なる、
を行うように構成された、第１のＢＳ。
［Ｃ２３］  前記少なくとも１つのプロセッサは、サブフレームの前記第２のセット中のサブフレームの少なくともサブセット中の第１のシンボルまたは第２のシンボルのうちの少なくとも１つ中に送信することを抑制するようにさらに構成され、
前記第１のシンボルは、前記第２の基準信号が送信される前記１つまたは複数のシンボルよりも前にあり、前記第２のシンボルは、前記第２の基準信号がその中で送信される前記１つまたは複数のシンボルよりも後にある、Ｃ２２に記載の第１のＢＳ。
［Ｃ２４］  前記第１のシンボルがサブフレーム中の最初のシンボルであり、前記第２のシンボルがサブフレーム中の最後のシンボルである、Ｃ２３に記載の第１のＢＳ。
［Ｃ２５］  サブフレームの前記第２のセット中の少なくとも１つのサブフレームは、スペシャルサブフレームまたはアップリンク（ＵＬ）サブフレームのうちの１つであり、前記少なくとも１つのサブフレームの少なくとも一部分は、ユーザ機器（ＵＥ）によるＵＬ信号の送信のために割り振られる、Ｃ２２に記載の第１のＢＳ。
［Ｃ２６］  前記少なくとも１つのプロセッサは、サブフレームの前記第２のセット中の前記少なくとも１つのサブフレーム中で信号を送信することを抑制するようにとの命令をユーザ機器（ＵＥ）に送信するようにさらに構成された、Ｃ２５に記載の第１のＢＳ。
［Ｃ２７］  前記第１の基準信号は、前記第１の基地局の近くのユーザ機器（ＵＥ）が前記第１の基地局を発見することを可能にし、前記第２の基準信号は、第２の基地局が前記第１の基地局と同期することを可能にする、Ｃ２２に記載の第１のＢＳ。
［Ｃ２８］  前記同じタイプの基準信号は測位基準信号（ＰＲＳ）である、Ｃ２２に記載の第１のＢＳ。
［Ｃ２９］  前記少なくとも１つのプロセッサは、前記第１の基準信号または前記第２の基準信号のうちの少なくとも１つのための帯域幅を構成するようにさらに構成され、前記第１の基準信号または前記第２の基準信号のうちの少なくとも１つは、前記構成された帯域幅を使用して送信される、Ｃ２２に記載の第１のＢＳ。
［Ｃ３０］  前記少なくとも１つのプロセッサは、前記第１のＢＳのダウンリンクシステム帯域幅を決定するようにさらに構成され、前記構成された帯域幅は、前記ダウンリンクシステム帯域幅よりも小さい、Ｃ２９に記載の第１のＢＳ。
【図１】
0006297718.tif 000002
【図２】
0006297718.tif 000003
【図３】
0006297718.tif 000004
【図４】
0006297718.tif 000005
【図５】
0006297718.tif 000006
【図６】
0006297718.tif 000007
【図７】
0006297718.tif 000008
【図８】
0006297718.tif 000009
【図９】
0006297718.tif 000010
【図１０】
0006297718.tif 000011
【図１１】
0006297718.tif 000012
【図１２】
0006297718.tif 000013
【図１３】
0006297718.tif 000014
【図１４】
0006297718.tif 000015
【図１５】
0006297718.tif 000016
【図１６】
0006297718.tif 000017
【図１７】
0006297718.tif 000018
【図１８】
0006297718.tif 000019
【図１９】
0006297718.tif 000020
【図２０】
0006297718.tif 000021
【図２１】
0006297718.tif 000022